(57)【特許請求の範囲】
【請求項１】
光源と、
前記光源に対向する光入射面を有する光学部品と、
前記光源と前記光入射面との間に設けられ、管状の容器に封入された波長変換物質を含む波長変換部材と、
前記光源側の第１係止部および前記光学部品側の第２係止部を有し、前記波長変換部材を前記光源と前記光学部品の前記光入射面との間に保持するとともに、互いに分離した上面部および底面部を有する保持部材とを備え、
前記上面部と前記底面部との間を通って前記光源の光が前記光入射面に向かう
発光装置。
【請求項２】
前記第２係止部は、前記上面部、前記底面部それぞれに設けられ、前記上面部および前記底面部に対して垂直方向に立設している
請求項１記載の発光装置。
【請求項３】
前記波長変換部材は、前記第１係止部の厚みにより前記光源から所定の距離だけ離間されている
請求項１または２記載の発光装置。
【請求項４】
前記第１係止部および前記第２係止部は、前記上面部および前記底面部の一部に設けられている
請求項１ないし３のうちいずれか一項記載の発光装置。
【請求項５】
前記第１係止部は、前記上面部および前記底面部をつなぐ柱状である
請求項４記載の発光装置。
【請求項６】
前記波長変換物質は量子ドットを含む
請求項１ないし５のうちいずれか一項記載の発光装置。
【請求項７】
前記保持部材は、前記第１係止部および前記第２係止部を含む第１収容部と、前記第１収容部に一体化されると共に前記光源が収容される第２収容部とを有する
請求項１ないし６のうちいずれか一項記載の発光装置。
【請求項８】
前記第１収容部は前記波長変換部材からの光が取り出される第１開口を有し、
前記第２収容部は前記光源の光が取り出される第２開口を有する
請求項７記載の発光装置。
【請求項９】
前記第２開口は前記第１開口よりも小さく、
前記第１収容部は、前記光源の光を前記第２開口から前記第１開口に導くテーパ部を有する
請求項８記載の発光装置。
【請求項１０】
前記第２開口の大きさは前記第１開口の大きさと同じである
請求項８記載の発光装置。
【請求項１１】
前記光源を複数有し、
前記第２収容部は前記光源の間に、前記波長変換部材側からの光を前記光入射面側へ戻すための反射部を有する
請求項７ないし９のうちいずれか一項記載の発光装置。
【請求項１２】
前記容器の断面の長径は前記光入射面の幅の大きさ以下である
請求項１ないし１１のうちいずれか一項記載の発光装置。
【請求項１３】
前記保持部材は、酸化チタンを混合した樹脂により構成されている
請求項１ないし１２のうちいずれか一項記載の発光装置。
【請求項１４】
前記樹脂は、ＰＣ（ポリカーボネート），ＰＰＡ（ポリフタルアミド），ＰＰＡ／ＰＣＴ（ポリシクロヘキシレン・ジメチレン・テレフタレート）およびエポキシ系樹脂のうちのいずれか１つを含む
請求項１３記載の発光装置。
【請求項１５】
前記保持部材は、前記第２係止部の外側に前記光学部品を保持するための庇部を有する
請求項１記載の発光装置。
【請求項１６】
前記光学部品は導光板であり、
前記光入射面は、前記導光板の端面である
請求項１ないし１５のうちいずれか一項記載の発光装置。
【請求項１７】
前記光源は青色光源である
請求項１ないし１６のうちいずれか一項記載の発光装置。
【請求項１８】
前記光源はＬＥＤ（Light Emitting Diode）である
請求項１ないし１７のうちいずれか一項記載の発光装置。
【請求項１９】
液晶パネルの背面側に発光装置を備え、
前記発光装置は、
光源と、
前記光源に対向する光入射面を有する光学部品と、
前記光源と前記光入射面との間に設けられ、管状の容器に封入された波長変換物質を含む波長変換部材と、
前記光源側の第１係止部および前記光学部品側の第２係止部を有し、前記波長変換部材を前記光源と前記光学部品の前記光入射面との間に保持するとともに、互いに分離した上面部および底面部を有する保持部材とを備え、
前記上面部と前記底面部との間を通って前記光源の光が前記光入射面に向かう
表示装置。
【請求項２０】
発光装置を備え、
前記発光装置は、
光源と、
前記光源に対向する光入射面を有する光学部品と、
前記光源と前記光入射面との間に設けられ、管状の容器に封入された波長変換物質を含む波長変換部材と、
前記光源側の第１係止部および前記光学部品側の第２係止部を有し、前記波長変換部材を前記光源と前記光学部品の前記光入射面との間に保持するとともに、互いに分離した上面部および底面部を有する保持部材とを備え、
前記上面部と前記底面部との間を通って前記光源の光が前記光入射面に向かう
照明装置。
【発明の詳細な説明】
【技術分野】
【０００１】
本技術は、面光源に好適な発光装置、並びにこれを備えた表示装置および照明装置に関する。
【背景技術】
【０００２】
液晶表示装置のバックライトや照明装置などの光源として、ＬＥＤ（Light Emitting Diode）が使用されている。このようなバックライト等では、白色光を生成させる場合、赤色，緑色および青色のＬＥＤの光を合成する方法がよく用いられる。しかしながら、上記のような複数の色の光を合成する方法では安定して均一な白色光を得ることが困難である。そのため、単色、例えば青色ＬＥＤの光を、蛍光顔料や蛍光染料を用いて波長変換する方法が提案されている（例えば、特許文献１，２参照）。
【先行技術文献】
【特許文献】
【０００３】
【特許文献１】特許第３１１６７２７号明細書
【特許文献２】特許第３１１４８０５号明細書
【発明の概要】
【発明が解決しようとする課題】
【０００４】
しかしながら、上記のような青色ＬＥＤの光を波長変換する方法は実用化に至っていなかった。
【０００５】
本技術はかかる問題点に鑑みてなされたもので、その目的は、実用化可能な波長変換部材を用いる発光装置、これを備えた表示装置および照明装置を提供することにある。
【課題を解決するための手段】
【０００６】
本技術の発光装置は、光源と、光源に対向する光入射面を有する光学部品と、光源と光入射面との間に設けられ、管状の容器に封入された波長変換物質を含む波長変換部材と、光源側の第１係止部および光学部品側の第２係止部を有し、波長変換部材を光源と光学部品の光入射面との間に保持するとともに、互いに分離した上面部および底面部を有する保持部材とを備え、上面部と底面部との間を通って光源の光が光入射面に向かうものである。
【０００７】
本技術の表示装置は、液晶パネルの背面側に上記発光装置を備えたものである。
【０００８】
本技術の照明装置は、上記発光装置を備えたものである。
【０００９】
本技術の発光装置、表示装置または照明装置では、保持部材により波長変換部材と光源とが所定の間隔を有するように配置される。
【発明の効果】
【００１０】
本技術の発光装置、表示装置および照明装置によれば、波長変換部材の位置を固定するための保持部材を設けるようにしたので、光源と波長変換部材とが接触してこれらが破損することを防ぐことができる。よって、信頼性を向上させて実用化することができる。
【図面の簡単な説明】
【００１１】
【図１】本技術の第１の実施の形態に係る発光装置の全体構成を表す斜視図である。
【図２】図１に示した波長変換部材を保持する保持部材の構成を表す斜視図である。
【図３】図２に示した保持部材に波長変換部材が設置された状態を表す図である。
【図４】本技術の第２の実施の形態に係る保持部材（発光装置）の構成を表す斜視図である。
【図５】図４に示した保持部材に波長変換部材が設置された状態を表す図である。
【図６】図４に示した保持部材の他の例を表す斜視図である。
【図７】図５に示した波長変換部材の大きさの他の例を表す断面図である。
【図８】図５に示した庇部の変形例を表す断面図である。
【図９】図５に示した波長変換部材と導光板との間の距離について説明するための断面図である。
【図１０】本技術の第３の実施の形態に係る保持部材（発光装置）の構成を表す斜視図である。
【図１１】図１０に示した保持部材に波長変換部材が固定された状態を表す断面図である。
【図１２】変形例１に係る保持部材の構成を表す断面図である。
【図１３】変形例２に係る保持部材の構成を表す斜視図である。
【図１４】図１等に示した発光装置を適用させた表示装置の外観を表す斜視図である。
【図１５】図１４に示した本体部を分解して表す斜視図である。
【図１６】図１５に示したパネルモジュールを分解して表す斜視図である。
【図１７】図１５に示したパネルモジュールの適用例１の外観を表す斜視図である。
【図１８】適用例２の外観を表す斜視図である。
【図１９】（Ａ）は適用例３の表側から見た外観を表す斜視図、（Ｂ）は裏側から見た外観を表す斜視図である。
【図２０】適用例４の外観を表す斜視図である。
【図２１】適用例５の外観を表す斜視図である。
【図２２】（Ａ）は適用例６の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【図２３】図１等に示した発光装置を適用させた照明装置の外観を表す斜視図である。
【図２４】図２３に示した照明装置の他の例を表す斜視図である。
【図２５】図２３に示した照明装置のその他の例を表す斜視図である。
【発明を実施するための形態】
【００１２】
以下、本技術の実施の形態について、図面を参照して詳細に説明する。なお、説明は以下の順序で行う。
１．第１の実施の形態（発光装置：波長変換部材の延在方向に渡って支持する保持部材の例）
２．第２の実施の形態（発光装置：波長変換部材の一部で支持する保持部材の例）
３．第３の実施の形態（発光装置：保持部材が波長変換部材の収容部（第１収容部）と共に光源の収容部（第２収容部）を有する例）
４．変形例１（第１収容部がテーパ部を有する例）
５．変形例２（第２収容部に反射部を有する例）
６．適用例（表示装置、照明装置）
７．実施例
【００１３】
＜第１の実施の形態＞
図１は、本技術の第１の実施の形態に係る発光装置（発光装置１）の全体構成を表したものである。この発光装置１は、例えば、透過型の液晶パネルを背後から照明するバックライトとして用いるものであり、光源１０、導光板２０（光学部品）、波長変換部材３０、反射部材４０および光学シート５０を有している。導光板２０は、その左右両端面が光入射面２０Ａ、主面（最も広い面）が光出射面２０Ｂ，２０Ｄとなっている。即ち、発光装置１はエッジ型の発光装置である。
【００１４】
本明細書において、光学シート５０，導光板２０および反射部材４０の積層方向をＺ（前後）方向、導光板２０の主面の左右方向をＸ方向、上下方向をＹ方向という。
【００１５】
光源１０は、例えば青色光（例えば、波長４４０〜４６０ｎｍ程度）を発生するＬＥＤであり、導光板２０の光入射面２０Ａに対向して複数設けられている。詳細には、この光源１０はパッケージ（後述の図３（Ｂ） パッケージ１１）内に封止され、光源基板１２に実装されたものである。パッケージ１１の平面形状は、例えば長辺が１．８〜７ｍｍ、短辺が１〜４ｍｍの矩形であり、その厚み（Ｘ方向）は例えば０．５ｍｍ程度である。効率よく輝度を向上させるためには小さな光源１０を用いることが好ましいが、例えば長辺の長さが７ｍｍ以上の光源１０を用いることも可能である。光源基板１２は、例えば矩形状のガラスエポキシ基板，金属基板またはフレキシブル基板上に配線パターンを形成したものであり、光源１０を支持すると共に光源１０に電力を供給する。複数の光源基板１２（光源１０）はその長手方向（Ｙ方向）に沿って一列に配置されている。光源１０は１つであってもよい。
【００１６】
導光板２０は、例えば、主にポリカーボネート樹脂（ＰＣ）またはアクリル樹脂などの透明熱可塑性樹脂を含んで構成されており、光入射面２０Ａに入射した光源１０からの光を光出射面２０Ｂ（図１  光学シート５０側の主面）へと導く。光出射面２０Ｂには、導光板２０内を伝播する光の直進性を向上させるために、例えば、微細な凸部２０Ｃよりなる凹凸パターンが設けられている。凸部２０Ｃは、例えば、光出射面２０Ｂの一方向（図１  ｘ方向）に帯状に延在している。光出射面２０Ｂに対向する光出射面２０Ｄには、導光板２０内を伝播する光を散乱し、均一化させる散乱部として、例えば、散乱剤がパターン状に印刷されている。散乱部としては、散乱剤に代えて、フィラーを含んだ部位を設けたり、表面を部分的に粗面にすることも可能である。
【００１７】
波長変換部材３０は、光源１０と導光板２０の光入射面２０Ａとの間に設けられている。この波長変換部材３０は、光源１０が発する波長の光を吸収した後、これとは異なる波長の光を発生させるものである。即ち、光源１０の光は波長変換部材３０により一部または全部が波長変換された後、光入射面２０Ａに入る。本実施の形態では、この波長変換部材３０が図２に示した保持部材６０に保持されている。これにより、光源１０と波長変換部材３０との接触を防ぎ、信頼性を向上させることができる。
【００１８】
図３は、この保持部材６０に波長変換部材３０が固定された状態を表したものであり、図３（Ａ）は導光板２０の光入射面２０Ａ側から見た平面構成、図３（Ｂ）は図３（Ａ）のＢ−Ｂ線に沿った断面構成をそれぞれ表している。波長変換部材３０は、具体的には例えばガラス等からなる管状の容器３２（キャピラリ）に波長変換物質３１が封入されたものである。容器３２（波長変換部材３０）は光入射面２０Ａの長さ方向（Ｙ方向）に延在している。波長変換物質３１は、例えば、蛍光顔料，蛍光染料または量子ドット等を含んでおり、光源１０の光を吸収してその一部または全部を別の波長の光に変換し、これを放出するものである。波長変換物質３１は、例えば光源１０の青色光を吸収して、その一部を赤色光（波長６２０〜７５０ｎｍ）または緑色光（波長４９５〜５７０ｎｍ）に変換する。従って、光源１０の光が波長変換物質３１を通過することにより、赤色，緑色および青色の光が合成されて白色光が生成する。容器３２は、大気中の水分や酸素による波長変換物質３１の劣化を抑えると共に、波長変換物質３１の取り扱いを容易にする役割を有している。管状の容器３２の断面（Ｚ-Ｘ断面）形状は略矩形状であり、その長径Ｄ（Ｚ方向）は例えば２〜５ｍｍである（図３（Ｂ））。容器３２の太さ（Ｘ方向）は例えば１．０ｍｍ程度である。
【００１９】
波長変換物質３１は量子ドットを含むことが好ましい。量子ドットは、長径１ｎｍ〜１００ｎｍ程度の粒子であり、離散的なエネルギー準位を有している。量子ドットのエネルギー状態はその大きさに依存するため、サイズを変えることにより自由に発光波長を選択することが可能となる。また、量子ドットの発光光はスペクトル幅が狭い。このような急峻なピークの光を組み合わせることにより色域が拡大する。従って、波長変換物質３１に量子ドットを用いることにより、容易に色域を拡大することが可能となる。更に、量子ドットは応答性が高く、光源１０の光を効率良く利用することができる。加えて、量子ドットは安定性も高い。量子ドットは、例えば、１２族元素と１６族元素との化合物、１３族元素と１６族元素との化合物あるいは１４族元素と１６族元素との化合物等であり、例えば、ＣｄＳｅ，ＣｄＴｅ，ＺｎＳ，ＣｄＳ，ＰｄＳ，ＰｂＳｅまたはＣｄＨｇＴｅ等である。
【００２０】
保持部材６０は、波長変換部材３０を固定するためのホルダであり、この波長変換部材３０と光源１０との間隔を所定の値に保持する機能を有する。この保持部材６０は互いに分離された上面部６１と底面部６２とにより構成され、上面部６１と底面部６２との間を光源１０で発生した光が光入射面２０Ａの方向（Ｘ方向）へ通過する。上面部６１および底面部６２は、容器３２と同じ方向（Ｙ方向）に延在している。上面部６１と底面部６２との間の距離（Ｚ方向）は、長径Ｄと同じであることが好ましい。この上面部６１および底面部６２の光源１０側に第１係止部６３、導光板２０側に第２係止部６４がそれぞれ設けられ、波長変換部材３０を保持している。保持部材６０は上記のようにホルダとしての機能を有すると共に、波長変換部材３０からの光の取り出し効率を高める機能を有している。波長変換部材３０からの光はあらゆる方向に放出されるが、保持部材６０（上面部６１，底面部６２）でこの光を反射することにより波長変換部材３０からの光の利用効率が高まる。
【００２１】
第１係止部６３は上面部６１、底面部６２それぞれに、これらの延在方向（Ｙ方向）に渡って設けられている。この一対の第１係止部６３が上面部６１、底面部６２に対して垂直方向（Ｚ方向）に互いに対向して立設し（図２）、容器３２（波長変換部材３０）の光源１０側が支持される。光源１０が実装された光源基板１２は、例えば固定部６６（図３（Ｂ））により保持部材６０に対して所定の位置に保持されている。即ち、光源１０（パッケージ１１）と波長変換部材３０（容器３２）とは、この第１係止部６３の厚みＴ（Ｘ方向）以上離間される（図３（Ｂ））。従って、第１係止部６３の厚みＴを調整することにより、光源１０と波長変換部材３０との接触を防ぐことができる。光源１０と波長変換部材３０とが大きく離れていると光源１０の光の利用効率が低下する虞があるため、固定部６６を調整して光源１０の発光面と波長変換部材３０との間の距離を第１係止部６３の厚みＴと同じにすることが好ましい。また、容器３２や光源１０のパッケージ等の熱膨張率を考慮したうえで厚みＴを小さくし、第１係止部６３で反射される光源１０の光の量をできるだけ少なくすることが好ましい。第１係止部６３の厚みＴは、例えば０．８ｍｍである。
【００２２】
第２係止部６４も、上記第１係止部６３と同様に、上面部６１、底面部６２それぞれにこれらの延在方向（Ｙ方向）に渡って設けられ、上面部６１、底面部６２に対して垂直方向（Ｚ方向）に互いに対向して立設している（図２）。この一対の第２係止部６４により容器３２（波長変換部材３０）の導光板２０（光入射面２０Ａ）側が支持され、容器３２が所定の位置に固定される。第１係止部６３および第２係止部６４の立設方向の長さ（Ｚ方向）は、例えば０．８ｍｍである。
【００２３】
保持部材６０の上面部６１、底面部６２それぞれには、図２に破線で示したように、第２係止部６４よりも外側に庇部６５Ａ，６５Ｂを設けるようにしてもよい。これら庇部６５Ａと庇部６５Ｂとの間に導光板２０および反射部材４０が挟みこまれ、保持される。
【００２４】
保持部材６０は、光源１０の近傍に配置されるため耐熱性および耐光性が高い材料により構成する。また、信頼性を向上させるため、保持部材６０としては熱膨張係数の低い材料を用いることが好ましい。更に、光源１０の光を有効に利用するため、この材料が高い反射率を有していることが好ましい。このような保持部材６０の構成材料には、酸化チタン等の高反射率の金属を混合した樹脂、例えば高反射ＰＣ（ポリカーボネート），高反射ＰＰＡ（ポリフタルアミド），高反射ＰＰＡ／ＰＣＴ（ポリシクロヘキシレン・ジメチレン・テレフタレート）または高反射エポキシ系樹脂などを用いることができる。容器３２がガラスにより構成されている場合には、このガラスと熱膨張係数が近く、またコスト面でも有利なＰＰＡを含むことが好ましい。具体的には、クラレ社製「ジェネスタ（登録商標）」等が挙げられる。保持部材６０は、高反射コーティングされた金属などにより構成するようにしてもよい。保持部材６０の外側、例えば光源１０側には例えばヒートスプレッダ等の放熱部材（図示せず）を設けるようにしてもよい。
【００２５】
反射部材４０（図１）は導光板２０の主面に対向する板状またはシート状の部材であり、導光板２０の光出射面２０Ｄ側（光学シート５０と反対側）に設けられている。この反射部材４０は、光源１０から導光板２０の光出射面２０Ｄ側に漏れ出た光、および導光板２０の内部から光出射面２０Ｄ側に出射された光を、導光板２０側へ戻すものである。反射部材４０は、例えば、反射、拡散および散乱などの機能を有している。これにより、光源１０からの光を効率的に利用し、正面輝度を高めることが可能となる。
【００２６】
反射部材４０は、例えば発泡ＰＥＴ（ポリエチレンテレフタレート），銀蒸着フィルム，多層膜反射フィルムまたは白色ＰＥＴにより構成されている。反射部材４０に正反射（鏡面反射）の機能を持たせる場合には、表面に銀蒸着，アルミニウム蒸着または多層蒸着などの処理が施されていることが好ましい。反射部材４０が微細形状を有する場合には、例えば、熱可塑性樹脂を用いた熱プレス成型または溶融押し出し成型などの方法により微細形状を一体的に形成することが可能である。熱可塑性樹脂としては、例えば、ＰＣ，ＰＭＭＡ（ポリメチルメタクリレート）等のアクリル樹脂，ＰＥＴ等のポリエステル樹脂，ＭＳ（メチルメタクリレートとスチレンの共重合体）等の非晶性共重合ポリエステル樹脂，ポリスチレン樹脂およびポリ塩化ビニル樹脂等を用いることができる。微細形状は、例えば、ＰＥＴまたはガラスからなる基材上にエネルギー線（例えば、紫外線）硬化樹脂を塗布した後、これにパターンを転写して形成するようにしてもよい。
【００２７】
光学シート５０は、導光板２０の光出射面２０Ｂ（前面）側に設けられ、例えば、拡散板，拡散シート，レンズフィルムおよび偏光分離シートなどを含んでいる。図１には、上記複数の光学シート５０のうちの一枚のみを示している。光学シート５０を設けることにより、導光板２０から斜め方向に出射した光を正面方向に立ち上げることが可能となり、正面輝度を更に高めることができる。
【００２８】
この発光装置１では、光源１０で発生した光が波長変換部材３０により波長変換され、導光板２０の光入射面２０Ａに入射する。この光は、導光板２０内部を進んで光出射面２０Ｂから出射され、光学シート５０を通過する。
【００２９】
ここでは保持部材６０により、波長変換部材３０が光源１０と導光板２０との間の所定の位置に保持されている。これにより、発光装置１の信頼性が向上する。
【００３０】
光源１０で発生した光を導光板２０へと効率良く入射させるためには、光源１０、波長変換部材３０および導光板２０を例えば接着剤等により固定し、できる限り密着させることが考えられる。しかしながら、このような状態で発光装置を駆動した場合には、光源、波長変換部材の容器および接着剤等の熱膨張率の違いにより、光源と容器とが接触してこれらが破損する虞がある。従って、信頼性を担保することが困難となる。また、波長変換部材で発生した光があらゆる方向に放出され、導光板２０の光入射面２０Ａへの入光効率が低下する虞がある。
【００３１】
これに対し本実施の形態では、波長変換部材３０が保持部材６０により、所定の位置に保持されている。換言すれば、保持部材６０により光源１０と波長変換部材３０との間の距離が所定の値に維持される。よって、波長変換部材３０により安定して均一な光を得ると共に、光源１０や波長変換部材３０の容器３２等の破損を防止して信頼性を向上させることができる。
【００３２】
また、上面部６１および底面部６２により波長変換部材３０から放出された光を反射して、波長変換部材３０で発生した光を効率よく導光板２０の光入射面２０Ａに入射させることが可能となる。
【００３３】
以上のように本実施の形態では、保持部材６０を設けるようにしたので、発光装置１の信頼性を向上させることができる。従って、波長変換部材３０を用いた発光装置１の実用化が可能となる。また、光源１０から波長変換部材３０を介した導光板２０の光入射面２０Ａへの入光効率の低下を抑えることができる。
【００３４】
以下、他の実施の形態およびその変形例について説明するが、以降の説明において上記実施の形態と同一構成部分については同一符号を付してその説明は適宜省略する。
【００３５】
＜第２の実施の形態＞
本技術の第２の実施の形態に係る発光装置（発光装置２）は、図４に示した保持部材７０を有するものである。この保持部材７０は上面部６１、底面部６２の一部に設けられた係止部（第１係止部６３Ａ，第２係止部６４Ａ）で波長変換部材３０を支持している。この点を除き、発光装置２は上記第１の実施の形態の発光装置１と同様の構成を有し、その作用および効果も同様である。
【００３６】
図５は、保持部材７０に波長変換部材３０が固定された状態を表したものであり、図５（Ａ）は導光板２０の光入射面２０Ａ側から見た平面構成、図５（Ｂ）は図５（Ａ）のＢ−Ｂ線に沿った断面構成、図５（Ｃ）は図５（Ａ）のＣ−Ｃ線に沿った断面構成をそれぞれ表している。
【００３７】
保持部材７０の第１係止部６３Ａは、上面部６１および底面部６２をつなぐ柱状であり（図４）、容器３２をその長径Ｄ方向に渡り支持している（図５（Ｂ））。光源１０（パッケージ１１）と波長変換部材３０（容器３２）とは、この第１係止部６３Ａの厚みＴ（Ｘ方向）以上離間される（図５（Ｂ）（Ｃ））。従って、第１係止部６３Ａの厚みＴを調整することにより、光源１０と波長変換部材３０との接触を防ぐことができる。光源１０は、第１係止部６３Ａによる反射を抑えるため、例えば第１係止部６３Ａに対向する位置を避けて設ける。
【００３８】
第２係止部６４Ａは、上面部６１、底面部６２それぞれの一部に設けられ、上面部６１および底面部６２に対して垂直方向（Ｚ方向）に互いに対向して立設している。この一対の第２係止部６４Ａにより、容器３２の導光板２０側を支持して波長変換部材３０を所定の位置に保持することができる。第１係止部６３Ａと第２係止部６４Ａとは波長変換部材３０を間にして対向するように設けてもよく（図４）、図６に示したように互い違いに設けてもよい。上面部６１の第２係止部６４Ａと底面部６２の第２係止部６４Ａとが対向していなくてもよい（図示せず）。図４には、第１係止部６３Ａ、第２係止部６４Ａがそれぞれ複数（２つ）ある場合を示したが、１つであってもよい。
【００３９】
このような上面部６１、底面部６２の一部に設けた第１係止部６３Ａおよび第２係止部６４Ａにより波長変換部材３０を保持することにより、波長変換部材３０で発生した光のケラレを抑えることができる。従って、上記実施の形態の保持部材６０と比較して波長変換部材３０から導光板２０の光入射面２０Ａへの入光効率を高めることができる。
【００４０】
また、波長変換部材３０から導光板２０への光の入光効率を向上させるため、長径Ｄは光入射面２０Ａの幅Ｗ（Ｚ方向）と同じかそれに近い値であることが好ましい。長径Ｄが幅Ｗよりも大きくても（図５（Ｃ））、幅Ｗと同じ（図７（Ａ））であってもよいが、少し小さい場合（図７（Ｂ））に特に波長変換部材３０から光入射面２０Ａへの入光効率が高くなる。例えば、光入射面２０Ａの幅Ｗが３．０ｍｍ程度のとき、容器３２の長径Ｄは２．８ｍｍである。
【００４１】
庇部６５Ａ，６５Ｂは、それぞれ上面部６１、底面部６２と平行に設けることが好ましい（図５（Ｃ））。庇部６５Ａ，６５Ｂを例えば、直角に折り曲げたり（図８（Ａ））、上面部６１、底面部６２に対して傾斜させると（図８（Ｂ））、波長変換部材３０と導光板２０（光入射面２０Ａ）との間に光のケラレが生じる場所や溜まり場が存在することになる。このため、波長変換部材３０から導光板２０への入光効率が低下する。
【００４２】
図９（Ａ）に示したように、波長変換部材３０と導光板２０の光入射面２０Ａとの間は、容器３２や導光板２０の熱膨張率等を考慮して例えば１．２ｍｍ程度離間しておくが、この距離を図９（Ｂ）に示したように、例えば０．０５ｍｍ程度まで縮めることも可能である。保持部材７０（庇部６５Ａ，６５Ｂ）と導光板２０とを例えば接着剤等により互いに固定しておくことにより、導光板２０の熱膨張と保持部材７０の熱膨張とが同調するため、波長変換部材３０と導光板２０の光入射面２０Ａとの間の距離を短くすることが可能となる。保持部材７０が、波長変換部材３０の延在方向（Ｙ方向）に対向する側壁（図示せず）を有していてもよい。
【００４３】
＜第３の実施の形態＞
本技術の第３の実施の形態に係る発光装置（発光装置３）は、図１０に示した保持部材８０を有するものである。保持部材８０は、波長変換部材３０を保持するための第１収容部８１と共に光源１０を保持するための第２収容部８２を有している。第２収容部８２は第１収容部８１に一体化されている。この点を除き、発光装置３は上記第２の実施の形態の発光装置２と同様の構成を有し、その作用および効果も同様である。
【００４４】
第１収容部８１は保持部材７０と同様に、上面部６１、底面部６２、第１係止部６３Ａおよび第２係止部６４Ａを有している。図１０は保持部材８０の中央部を表し、上面部６１を省略している。第２収容部８２は、第１収容部８１に隣接して導光板２０と反対側に設けられている。この第２収容部８２は、Ｚ方向に互いに対向する上面部６１Ａおよび底面部６２Ａを有している。
【００４５】
図１１は、保持部材８０に波長変換部材３０を固定した状態の断面構成を表したものである。保持部材８０では、光源１０の光は上面部６１Ａと底面部６２Ａとの間の第２収容部８２の開口（第２開口）から波長変換部材３０に入射し、波長変換部材３０を通過した光は上面部６１と底面部６２との間の第１収容部８１の開口（第１開口）から導光板２０の光入射面２０Ａに向かう。即ち、保持部材８０では、上面部６１Ａおよび底面部６２Ａにより、光源１０の光の広がりを抑え、光源１０で発生した光の利用効率をより高めることができる。第２収容部８２の奥行きＤｐ（Ｘ方向）は、パッケージ１１の厚みと略同じである。第２収容部８２も上記保持部材６０と同様に反射率の高い材料により構成することが好ましく、また、上面部６１Ａおよび底面部６２Ａは光源１０（パッケージ１１）に近い位置に設けることが好ましい。上面部６１Ａ、底面部６２Ａの表面（上面部６１Ａおよび底面部６２Ａの対向面と反対側の面）は、例えば上面部６１、底面部６２の表面と同一平面を構成する。保持部材８０においても、上記保持部材７０と同様に、光源１０と波長変換部材３０とは、第１係止部６３Ａの厚みＴ以上離間される。第２収容部８２の後側（第１収容部と反対側）に張出部６７を設けて、光源基板１２をこの張出部６７に例えば接着剤８４により固定しておくことが好ましい。
【００４６】
第１収容部８１の開口（光入射面２０Ａ側）の大きさと第２収容部８２の開口（波長変換部材３０側）の大きさとは異なっていてもよく（図１１（Ａ））、同じであってもよい（図１１（Ｂ））。しかしながら、第１収容部８１と第２収容部８２との間に段差が存在する場合（図１１（Ａ））、光源１０から波長変換部材３０までの間に光のケラレが生じ、入光効率が低下する虞がある。従って、第１収容部８１の開口を構成する上面部６１、底面部６２の対向面と第２収容部８２の開口を構成する上面部６１Ａ、底面部６２Ａの対向面とが、同一平面上にあることが好ましい（図１１（Ｂ））。
【００４７】
第１収容部８１および第２収容部８２は、透明な充填剤８３で満たしておくことが好ましい。この充填剤８３は例えばＰＭＭＡまたはＰＣ等である。充填剤８３には光源１０や波長変換部材３０で発生する光に対して高い透過率、かつ、容器３２の屈折率（例えば、ガラスの屈折率ｎ＝１．５２）に近い屈折率を有する弾性体を用いることが好ましい。ＰＭＭＡの屈折率ｎは１．４９、ＰＣの屈折率は１．５９である。波長変換部材３０と導光板２０との間にこの充填剤８３を設けるようにしてもよい。
【００４８】
＜変形例１＞
図１２は、上記第３の実施の形態の変形例１に係る保持部材（保持部材８０Ａ）の断面構成を波長変換部材３０等と共に表したものである。この保持部材８０Ａは、光源１０の光を第２収容部８２の開口から第１収容部８１の開口に導くためのテーパ部８５を有するものである。この点を除き、保持部材８０Ａは上記第３の実施の形態の保持部材８０と同様の構成を有し、その作用および効果も同様である。
【００４９】
テーパ部８５は第１収容部８１に設けられ、第１収容部８１の開口側に波長変換部材３０、第２収容部８２に光源１０をそれぞれ固定した際に、波長変換部材３０と光源１０との間に配置される。第２収容部８２の開口は第１収容部８１の開口よりも小さくなっており、第２収容部８２の上面部６１Ａおよび底面部６２Ａは第１収容部８１の上面部６１および底面部６２よりも、光源１０により近い位置に設けられている。テーパ部８５はこの第２収容部８２の開口の大きさから第１収容部８１の開口の大きさまで連続的に変化させる部分である。即ち、テーパ部８５の開口は、光源１０側から波長変換部材３０側に向けて逆テーパ形状を有している。このようなテーパ部８５により、上面部６１Ａおよび底面部６２Ａを光源１０に近い位置に配置し、かつ、第１収容部８１と第２収容部８２との間の段差（例えば、図１１（Ａ））をなくすことが可能となる。よって、光源１０から波長変換部材３０への入光効率をより高めることができる。テーパ部８５のテーパ角θは例えば４５度程度である。このテーパ角θは光源１０、容器３２の大きさ等に合わせて適宜調整することが好ましい。
【００５０】
＜変形例２＞
図１３は、上記第３の実施の形態の変形例２に係る保持部材（保持部材８０Ｂ）の要部の構成を表したものである。この保持部材８０Ｂは、第２収容部８２に保持される複数の光源１０の間に反射部８６を有するものである。この点を除き、保持部材８０Ｂは上記保持部材８０と同様の構成を有し、その作用および効果も同様である。図１３は保持部材８０Ｂの中央部を表し、上面部６１を省略している。
【００５１】
反射部８６は隣り合う光源１０の間に設けられ、波長変換部材３０から光源１０側に出射された光などを導光板２０の光入射面２０Ａ側に反射するものである。この反射部８６は例えば、柱状であり、第２収容部８２の上面部６１Ａおよび底面部６２Ａに連結されている。隣り合う光源１０同士の間隙をこの反射部８６が埋め、光源１０と反射部８６とが交互に隙間なく配置されていることが好ましい。このような反射部８６により、光源１０で発生した光の利用効率を高めることができる。
【００５２】
光源１０と導光板２０の光入射面２０Ａとの間に波長変換部材３０を設けることにより、安定して均一な光を得ることができる。しかしながら、上記のように波長変換部材３０では、あらゆる方向に光が放出されるため、光源１０で発生した光の強度が導光板２０に到達するまでの間に低下する虞がある。また、波長変換部材３０の容器３２表面での反射も生じる。ここでは、反射部８６を設けるようにしたので、波長変換部材３０から光源１０側へ出射された光を導光板２０の光入射面２０Ａ側へ反射することができる。反射部８６は、この他、光源１０または波長変換部材３０から出射された後、容器３２や、例えば第１係止部６３Ａなど保持部材８０Ｂの一部で反射された光も導光板２０側に戻すことが可能である。よって、反射部８６により光源１０で発生した光の利用効率を向上させ、輝度の低下を抑えることができる。また、第１収容部８１にテーパ部（図１２ テーパ部８５）を設けることにより、光源１０から波長変換部材３０への入光効率を向上させることもできる。反射部８６の反射面は、光源１０（パッケージ１１）の発光面と同一平面上に設けることが好ましい。反射部８６は、上記保持部材６０と同様に例えば、高反射ＰＣ，高反射ＰＰＡ，高反射ＰＰＡ／ＰＣＴまたは高反射エポキシ系樹脂などにより構成され、上面部６１Ａおよび底面部６２Ａに一体化されている。第１係止部６３Ａの厚みＴは例えば０．０３ｍｍである。換言すれば、第１係止部６３Ａは反射部８６の反射面および光源１０の発光面よりも０．０３ｍｍ程度波長変換部材３０側に張り出している。
【００５３】
＜適用例＞
図１４は、上記発光装置１（または、発光装置２，３）を適用させた表示装置１０１の外観の一例を表したものである。この表示装置１０１は、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００５４】
図１５は、図１４に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付、基板等の取付およびスタンド１０３の取付のためのものである。後部外装部材１１３は、パネルモジュール１１２の背面および側面を被覆している。
【００５５】
図１６は、図１５に示したパネルモジュール１１２を分解して表したものである。パネルモジュール１１２は、例えば、前面側（視聴者側）から、前部筐体（トップシャーシ）１２１，液晶パネル１２２，枠状部材（ミドルシャーシ）９０，発光装置１，後部筐体（バックシャーシ）１２４，バランサー基板１２５，バランサーカバー１２６およびタイミングコントロール基板１２７をこの順に有している。
【００５６】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材９０は、液晶パネル１２２および発光装置１の光学シート５０を保持する枠状の樹脂部品である。後部筐体１２４は、液晶パネル１２２，枠状部材９０および発光装置１を収容する、鉄（Ｆｅ）等よりなる金属部品である。バランサー基板１２５は、発光装置１を制御するものであり、後部筐体１２４の背面に実装されると共にバランサーカバー１２６により覆われている。タイミングコントロール基板１２７もまた、後部筐体１２４の背面に実装されている。
【００５７】
この表示装置１０１では、発光装置１からの光が液晶パネル１２２により選択的に透過されることにより、画像表示が行われる。ここでは、上記実施の形態で説明したように、信頼性が向上した発光装置１を備えているので、表示装置１０１は安定して均一な表示を行うことが可能となる。
【００５８】
以下、上記のようなパネルモジュール１１２の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００５９】
（適用例１）
図１７（Ａ）および図１７（Ｂ）は、上記実施の形態のパネルモジュール１１２が適用される電子ブックの外観を表したものである。この電子ブックは、例えば、表示部２１０および非表示部２２０を有しており、この表示部２１０が上記実施の形態の表示装置１０１により構成されている。
【００６０】
（適用例２）
図１８は、上記実施の形態のパネルモジュール１１２が適用されるスマートフォンの外観を表したものである。このスマートフォンは、例えば、表示部２３０および非表示部２４０を有しており、この表示部２３０が上記実施の形態の表示装置１０１により構成されている。
【００６１】
（適用例３）
図１９は、上記実施の形態のパネルモジュール１１２が適用されるデジタルカメラの外観を表したものである。このデジタルカメラは、例えば、フラッシュ用の発光部４１０、表示部４２０、メニュースイッチ４３０およびシャッターボタン４４０を有しており、この表示部４２０が上記実施の形態の表示装置１０１により構成されている。
【００６２】
（適用例４）
図２０は、上記実施の形態のパネルモジュール１１２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が上記実施の形態の表示装置１０１により構成されている。
【００６３】
（適用例５）
図２１は、上記実施の形態のパネルモジュール１１２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が上記実施の形態の表示装置１０１により構成されている。
【００６４】
（適用例６）
図２２は、上記実施の形態のパネルモジュール１１２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、上記実施の形態の表示装置１０１により構成されている。
【００６５】
図２３は、上記発光装置１（または、発光装置２，３）を適用させた照明装置の外観を表したものである。この照明装置は卓上用の照明装置であり、例えば、基台８４１に設けられた支柱８４２に、照明部８４３が取り付けられている。この照明部８４３が、上記発光装置１により構成されている。照明部８４３は、導光板２０を湾曲形状とすることにより、図２３に示した筒状、または図２４に示した曲面状など、任意の形状とすることが可能である。
【００６６】
発光装置１（または、発光装置２，３）は、図２５に示したような室内用の照明装置に適用させるようにしてもよい。この照明装置では、照明部８４４が上記発光装置１により構成されている。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００６７】
これらの照明装置では、発光装置１からの光により、照明が行われる。ここでは、第１の実施の形態で説明したように、信頼性が向上した発光装置１を備えているので、安定的に均一な光を得ることができる。
【００６８】
＜実施例＞
以下、本技術の具体的な実施例について説明する。
【００６９】
波長変換部材および保持部材を設けずに、光源の光を導光板に入射させた時の光源から光入射面への入光効率を１．０（Ｒｅｆ．）とし、上記実施の形態等の発光装置１（または発光装置２，３）の入光効率を計算により求めた。波長変換部材および保持部材以外の条件については、Ｒｅｆ．と同様にした。なお、全ての計算結果は導光板２０の光入射面２０Ａの幅Ｗを３．３ｍｍとして求めている。
【００７０】
（実験例１）
図２に示した保持部材６０を有する発光装置１の入光効率を求めた。この保持部材６０は、容器３２の延在方向に渡り波長変換部材３０を第１係止部６３および第２係止部６４で支持するものである。容器３２の長径Ｄは４．０ｍｍとした。
【００７１】
（実験例２）
図１１（Ａ）に示した保持部材８０を有する発光装置３の入光効率を求めた。この保持部材８０は波長変換部材３０を収容する第１収容部８１に加えて光源１０を収容する第２収容部８２を有するものである。第２収容部８２の開口（径２．２ｍｍ）は第１収容部８１の開口（径２．８ｍｍ）よりも小さく、第２収容部８２と第１収容部８１との間には段差が存在する。実験例１と同様に、容器３２の長径Ｄは４．０ｍｍとした。
【００７２】
（実験例３）
容器３２の長径Ｄを２．８ｍｍとしたことを除き、実験例２と同様にして発光装置２の入光効率を求めた。
【００７３】
（実験例４）
図１１（Ｂ）に示した保持部材８０を有する発光装置３の入光効率を求めた。この保持部材８０では、第２収容部８２の開口の大きさと第１収容部８１の開口の大きさが等しく（径２．８ｍｍ）、第１収容部８１と第２収容部８２との間に段差が存在していない。この点を除き、実験例３と同様にして計算を行った。
【００７４】
（実験例５）
図１２に示した保持部材８０Ａを有する発光装置３の入光効率を求めた。この保持部材８０Ａは、第１収容部８１にテーパ部８５を有するものである。即ち、第２収容部８２の開口（径２．２ｍｍ）は第１収容部８１の開口（径２．８ｍｍ）よりも小さいが、第１収容部８１と第２収容部８２との間に段差は存在していない。テーパ角θは４５度とした。この点を除き、実験例３と同様にして計算を行った。
【００７５】
（実験例６）
第１収容部８１と第２収容部８２を充填剤８３で満たしたことを除き、実験例５と同様にして発光装置３の入光効率を求めた。充填剤８３にはＰＭＭＡを用いた。
【００７６】
（実験例７）
図１３に示した保持部材８０Ｂを有する発光装置３の入光効率を求めた。この保持部材８０Ｂは、隣り合う光源１０の間に反射部８６を有するものである。この点を除き、実験例５と同様にして計算を行った。
【００７７】
上記実験例１〜７の結果を表１に表す。
【００７８】
【表１】
0005939004.tif 000002
【００７９】
実験例１と実験例２とを比較することにより、容器３２の一部で第１係止部６３Ａ、第２係止部６４Ａにより波長変換部材３０を支持することにより、光源１０と波長変換部材３０との間および波長変換部材３０と導光板２０の光入射面２０Ａとの間の光のケラレが減少し、入光効率が向上することがわかる。また、波長変換部材３０では、容器３２の長径Ｄが光入射面２０Ａの幅Ｗの大きさに近く、かつ、幅Ｗよりも小さい方がよい（実験例２，３）。第１収容部８１と第２収容部８２との間には段差がない方が好ましく（実験例３，４）、更に、第２収容部８２の上面部６１Ａおよび底面部６２Ａを光源１０のより近くに設けることで、入光効率は向上する（実験例４，５）。加えて、第１収容部８１および第２収容部８２を充填剤８３で満たすことにより、より入光効率が高まる（実験例５，６）。また、反射部８６を設けることによっても入光効率は向上する（実験例５，７）。
【００８０】
以上、実施の形態および変形例を挙げて本技術を説明したが、本技術は上記実施の形態に限定されるものではなく、種々の変形が可能である。例えば上記実施の形態等では、青色光を発生する光源１０を用いる場合について説明したが、光源１０は赤色または緑色など他の色の光を発生するものであってもよく、可視光以外、例えば、紫外光などを発生するものであってもよい。また、上記実施の形態等では、波長変換部材３０を通過することにより青色光から白色光を生成する場合について説明したが、例えば赤、赤橙、青または緑色などの白色以外の光を得るようにしてもよい。
【００８１】
加えて、上記実施の形態等では導光板２０の光入射面２０Ａが左右の両端面である場合について説明したが、光入射面２０Ａは、主面を囲む４つの端面（上下左右）のうち、１つであってもよく、３つ以上であってもよい。また、光源１０を導光板２０の主面に対向する位置に配置して、発光装置１（または発光装置２，３）を直下型にすることも可能である。更に、導光板２０の平面形状は発光装置１により照射される被照射物の形状に対応させればよく、矩形状以外であってもよい。加えて、上記実施の形態等では、光学部品として導光板２０を用いた場合について説明したが、導光板２０の凸部２０Ｃを省略するようにしてもよく、導光板２０をジェル状材料により構成するようにしてもよい。あるいは、例えば表示装置１０１や照明装置等の部品により波長変換部材３０から入射した光を導くようにしてもよい。
【００８２】
更にまた、上記実施の形態等では、光源１０がＬＥＤである場合について説明したが、光源１０は半導体レーザ等により構成されていてもよい。
【００８３】
加えてまた、上記実施の形態において発光装置１，２，３、表示装置１０１（テレビジョン装置）等の構成を具体的に挙げて説明したが、全ての構成要素を備える必要はなく、また、他の構成要素を更に備えていてもよい。
【００８４】
更に、例えば、上記実施の形態において説明した構成要素の材料および厚みなどは限定されるものではなく、他の材料および厚みとしてもよい。
【００８５】
なお、本技術は以下のような構成を取ることも可能である。
（１）光源と、前記光源に対向する光入射面を有する光学部品と、前記光源と前記光入射面との間に設けられた波長変換部材と、前記波長変換部材を前記光源と前記光学部品の光入射面との間に保持する保持部材とを備えた発光装置。
（２）前記保持部材は、前記光源側の第１係止部と前記導光板側の第２係止部とを有し、前記波長変換部材は、前記第１係止部と第２係止部との間で固定されている前記（１）記載の発光装置。
（３）前記波長変換部材は、前記第１係止部の厚みにより前記光源から所定の距離だけ離間されている前記（２）記載の発光装置。
（４）前記保持部材は互いに分離した上面部および底面部を有し、前記上面部と底面部との間を通って前記光源の光が前記光学部品の光入射面に向かい、前記第１係止部および前記第２係止部は、前記上面部および底面部の一部に設けられている前記（２）または（３）記載の発光装置。
（５）前記波長変換部材は、波長変換物質が管状の容器に封入されたものである前記（１）乃至（４）のうちいずれか１つに記載の発光装置。
（６）前記波長変換物質は量子ドットを含む前記（５）記載の発光装置。
（７）前記保持部材は、前記第１係止部および第２係止部を含む第１収容部と、前記第１収容部に一体化されると共に前記光源が収容される第２収容部とを有する前記（２）乃至（６）のうちいずれか１つに記載の発光装置。
（８）前記第１収容部は前記波長変換部材からの光が取り出される第１開口を有し、前記第２収容部は前記光源の光が取り出される第２開口を有する前記（７）記載の発光装置。
（９）前記第２開口は前記第１開口よりも小さく、前記第１収容部は、前記光源の光を前記第２開口から前記第１開口に導くテーパ部を有する前記（８）記載の発光装置。
（１０）前記第２開口の大きさは前記第１開口の大きさと同じである前記（８）記載の発光装置。
（１１）前記光源を複数有し、前記第２収容部は前記光源の間に、前記波長変換部材側からの光を前記光入射面側へ戻すための反射部を有する前記（７）乃至（９）のうちいずれか１つに記載の発光装置。
（１２）前記容器の断面の長径は前記光入射面の幅の大きさ以下である前記（５）記載の発光装置。
（１３）前記保持部材は、酸化チタンを混合した樹脂により構成されている前記（１）乃至（１２）のうちいずれか１つに記載の発光装置。
（１４）前記樹脂は、ＰＣ（ポリカーボネート），ＰＰＡ（ポリフタルアミド），ＰＰＡ／ＰＣＴ（ポリシクロヘキシレン・ジメチレン・テレフタレート）およびエポキシ系樹脂のうちのいずれか１つを含む前記（１３）記載の発光装置。
（１５）前記保持部材は、前記第２係止部の外側に前記光学部品を保持するための庇部を有する前記（２）記載の発光装置。
（１６）前記光学部品は導光板であり、前記光入射面は、前記導光板の端面である前記（１）乃至（１５）のうちいずれか１つに記載の発光装置。
（１７）前記光源は青色光源である前記（１）乃至（１６）のうちいずれか１つに記載の発光装置。
（１８）前記光源はＬＥＤ（Light Emitting Diode）である前記（１）乃至（１７）のうちいずれか１つに記載の発光装置。
（１９）液晶パネルの背面側に発光装置を備え、前記発光装置は、光源と、前記光源に対向する光入射面を有する光学部品と、前記光源と前記光入射面との間に設けられた波長変換部材と、前記波長変換部材を前記光源と前記光学部品の光入射面との間に保持する保持部材とを備えた表示装置。
（２０）発光装置を備え、前記発光装置は、光源と、前記光源に対向する光入射面を有する光学部品と、前記光源と前記光入射面との間に設けられた波長変換部材と、前記波長変換部材を前記光源と前記光学部品の光入射面との間に保持する保持部材とを備えた照明装置。
【符号の説明】
【００８６】
１，２…発光装置、１０…光源、１１…パッケージ、１２…光源基板、２０…導光板、２０Ａ…光入射面、２０Ｂ，２０Ｄ…光出射面、２０Ｃ…凸部、３０…波長変換部材、３１…波長変換物質、３２…容器、４０…反射部材、５０…光学シート、６０，７０，８０，８０Ａ，８０Ｂ…保持部材、６１，６１Ａ…上面部、６２，６２Ａ…底面部、６３，６３Ａ…第１係止部、６４，６４Ａ…第２係止部、６５Ａ，６５Ｂ…庇部、６６…固定部、６７…張出部、８１…第１収容部、８２…第２収容部、８３…充填剤、８４…接着剤、８５…テーパ部、８６…反射部、９０…枠状部材、１０１…表示装置。
【図１】
0005939004.tif 000003
【図２】
0005939004.tif 000004
【図３】
0005939004.tif 000005
【図４】
0005939004.tif 000006
【図５】
0005939004.tif 000007
【図６】
0005939004.tif 000008
【図７】
0005939004.tif 000009
【図８】
0005939004.tif 000010
【図９】
0005939004.tif 000011
【図１０】
0005939004.tif 000012
【図１１】
0005939004.tif 000013
【図１２】
0005939004.tif 000014
【図１３】
0005939004.tif 000015
【図１４】
0005939004.tif 000016
【図１５】
0005939004.tif 000017
【図１６】
0005939004.tif 000018
【図１７】
0005939004.tif 000019
【図１８】
0005939004.tif 000020
【図１９】
0005939004.tif 000021
【図２０】
0005939004.tif 000022
【図２１】
0005939004.tif 000023
【図２２】
0005939004.tif 000024
【図２３】
0005939004.tif 000025
【図２４】
0005939004.tif 000026
【図２５】
0005939004.tif 000027